(57)【要約】【課題】  放射能土壌の如き有害物質や汚染物質及び粗異物等を含む被処理物に磁性浄化材料を導入し撹拌，除去，磁選，脱水，乾燥，再度の磁選回収等の土壌を連続的に行って被処理物を浄化すると共に磁性除染物質を分離回収する浄化回収装置を提供する。【解決手段】  汚染物質等を含む被処理物は磁性浄化材料と混合，撹拌され粗異物の除去と磁性浄化材料の分離，回収等が連続的に行われ、更に脱水，乾燥が行われ更に磁選回収装置により磁性浄化材料が更なる回収が行われ、結果として被処理物の浄化が行われる。【選択図】図１
2014217834.tif 000002
【特許請求の範囲】
【請求項１】
放射能土壌の如き有害物質や汚染物質及び粗異物（以下、除去対象物）を含む水溶液やスラリー等の被処理物に磁性浄化材料を導入して前記被処理物から前記除去対象物を除去して前記被処理物を除染して元の場所に戻すための一連の浄化回収装置であって、該装置は、前記除去対象物を含む前記被処理物を導入し、前記磁性浄化材料を投入して撹拌する撹拌機と、撹拌済の前記被処理物内の前記粗異物（金属粒，砂利，藁，木屑等）を除去して粗異物回収タンクに導入するデサント及びタンクを有する除去装置と、粗異物を除去した前記被処理物から前記除去対象物を吸着している前記磁性浄化材料を除去する磁選機と、処理済の前記被処理物内の水分を乾燥する脱水機及び脱水済の前記被処理物を乾燥する乾燥機と、処理済の前記被処理物を更に除染して前記磁性浄化材料を除去して回収して元の場所に戻すための除染回収装置とからなることを特徴とする浄化回収装置。
【請求項２】
前記水溶液やスラリーとしては、無機態色素、水銀、カドミウム、セシン、セシウムを含有する海水、河川、湖沼、廃水、汚泥若しくは土壌中の水からなることを特徴とする請求項１に記載の浄化回収装置。
【請求項３】
前記磁性浄化材料が、ゼオライト粒子と磁性粒子と接着剤とから形成されるものからなることを特徴とする請求項１に記載の浄化回収装置。
【請求項４】
前記接着剤としては、水に溶け難い接着生成物を形成出来るものがよく、例えば、セメントが使用されることを特徴とする請求項３に記載の浄化回収装置。
【発明の詳細な説明】
【技術分野】
【０００１】  本発明は、有害物質（例えば、放射性セシウム１３４，１３７等の放射性物質）や汚染物質（例えば、無機態色素，水銀，カドミウム）等や粗異物（金属粒，砂利，藁，木屑等）の如く除去を必要とする除去対象物を含有する水溶液やスラリー（廃水，下水，汚泥土壌）等の被処理物に磁性浄化材料を導入して前記被処理物から前記除去対象物を分離させて集約回収するべく構成される浄化回収装置に関する。
【背景技術】
【０００２】  水溶液やスラリー等の被処理物には前記のようにその浄化のために除去を必要とする除去対象物が含まれている。そのため被処理物を浄化するための装置が必要とされ、従来では各種の公知技術があり、比較的本発明に似ているものとして「特許文献１」や「特許文献２」が挙げられる。
【先行技術文献】
【特許文献】
【０００３】
【特許文献１】  特許第４２７４９３１号（図１）
【特許文献２】  特開２０１２−２３７７３５号（図１）
【発明の概要】
【発明が解決しようとする課題】
【０００４】  「特許文献１」の「特許第４２７４９３１号」の「排水処理装置」はゼオライト粒子や磁性粒子からなる造粒物粒子を被処理物に導入し被処理物内の汚染物質を吸着除去して被処理物を浄化するものであるが、汚染物質はゼオライト粒子に吸着されたままの状態で環境中にそのまま残り、汚染物質を集約・回収して被処理物から除去するものではない。また、放射性物質を除去する手段が明確化されていなかった。【０００５】  一方、「特許文献２」の「特開２０１２−２３７７３５号」の「放射性物質類除染システム、及び放射性物質類の除染方法、及び除染用磁性複合粒子」は放射性物質類を液体中で除染用磁性複合粒子により捕捉すると共に磁力集積手段により除染用磁性複合粒子を集積するもので捕捉性化合物や磁性ナノ粒子を用いて放射性物質類を捕捉する構造のものからなる。しかしながら、この公知技術は文中にゼオライトを用いる内容が記載されておらず、かつ前記「特許文献１」の公知技術と同じく放射性物質類を集約・回収する手段が明示されていない。【０００６】  以上の如く、従来の公知技術としては本発明と似ている内容もあるが装置構造や処理ルートが本発明に較べて明確、かつ詳細ではなく、かつ前記のように有害物質等の集約・回収がなく、被処理物内には捕捉されている有害物質が残存している問題点がある。【０００７】  本発明は、以上の問題点を解決するもので被処理物内の有害物質等の除去対象物が除去されて集約・回収され、被処理物が浄化状態に形成される構成からなり従来同一出願人が出願した特願２０１３−９０７３１号を改良した浄化回収装置を提供することを目的としたものである。
【課題を解決するための手段】
【０００８】  本発明は以上の目的を達成するために、請求項１の発明は、放射能土壌の如き有害物質や汚染物質及び粗異物（以下、除去対象物）を含む水溶液やスラリー等の被処理物に磁性浄化材料を導入して前記被処理物から前記除去対象物を除去して前記被処理物を除染して元の場所に戻すための一連の浄化回収装置であって、該装置は、前記除去対象物を含む前記被処理物を導入し、前記磁性浄化材料を投入して撹拌する撹拌機と、撹拌済の前記被処理物内の前記粗異物（金属粒，砂利，藁，木屑等）を除去して粗異物回収タンクに導入するデサント及びタンクを有する除去装置と、粗異物を除去した前記被処理物から前記除去対象物を吸着している前記磁性浄化材料を除去する磁選機と、処理済の前記被処理物内の水分を乾燥する脱水機及び脱水済の前記被処理物を乾燥する乾燥機と、処理済の前記被処理物を更に除染して前記磁性浄化材料を除去して回収して元の場所に戻すための磁選回収装置とからなることを特徴とする。【０００９】  また、請求項２の発明は、前記水溶液やスラリーとしては、無機態色素、水銀、カドミウム、セシン、セシウムを含有する海水、河川、湖沼、廃水、汚泥若しくは土壌中の水等からなることを特徴とする。【００１０】  また、請求項３の発明は、前記磁性浄化材料が、ゼオライト粒子と磁性粒子と接着剤とから形成されるものからなることを特徴とする。【００１１】  また、請求項４の発明は、前記接着剤としては、水に溶け難い接着生成物を形成出来るものがよく、例えば、セメントが使用されることを特徴とする。
【発明の効果】
【００１２】  本発明の請求項１の浄化回収装置によれば、除去対象物を含む被処理物を前記磁性浄化材料と共に撹拌する撹拌機と、この撹拌された被処理物から粗異物を除去して回収する除去装置と、除去対象物を吸着した磁性浄化材料を除去する磁選機と、処理済の被処理物の水分の除去を行う脱水機及び乾燥機と、除去対象物を完全に除去及び浄化して回収し元の場所に戻すための磁選回収装置等とからなる一連の連続ラインにより除去対象物が除去され、浄化された被処理物が形成され、これをその元の場所に戻すようにした清浄化が可能となる。【００１３】  また、本発明の請求項２の浄化回収装置によれば、水溶液やスラリーとしては各種のものが挙げられ、広範囲の対象物に対する浄化が可能となる。【００１４】  また、本発明の請求項３の浄化回収装置によれば、磁性浄化材料が特定され、本発明の適用内容の明確化が図られる。【００１５】  また、本発明の請求項４の浄化回収装置によれば、接着剤が特定され、入手の容易化が図られ、確実な接着作用を行うことが出来る。
【図面の簡単な説明】
【００１６】
【図１】本発明の浄化回収装置の全体構成と処理作業の手順を説明するための全体図。
【図２】本発明に使用される磁選回収装置の詳細構造を示す外観構造図。
【図３】本発明に使用される磁選回収装置の他の例を示す構成図。
【図４】図３の吊下磁選機の詳細構造図。
【発明を実施するための形態】
【００１７】  以下、本発明の実施の形態を図面を参照して詳述する。
【００１８】  図１に示すように、浄化回収装置１００は大別して次の構成要素からなる。即ち、撹拌機１と除去装置２と磁選機３と脱水機４と乾燥機５と磁選回収装置６等とからなり、これ等はポンプ１１乃至１５を介してライン状に連結されている。
【００１９】  撹拌機１は撹拌機本体１ａとタンク１ｂ等とからなり、除去対象物８を含有する被処理物７がポンプ１１により導入されると共に磁性浄化材料が投入されて混合撹拌するものからなる。
【００２０】  除去装置２は振動機や篩等からなるデサント２ａとタンク２ｂとここで分離された粗異物１０を回収する回収タンク２ｃ等とから構成され被処理物７から粗異物１０を除去して回収するものからなる。
【００２１】  磁選機３は磁選機本体３ａとタンク３ｂ等とからなり、被処理物７から磁性浄化材料９を磁力により吸着除去して回収するものからなる。
【００２２】  磁選機３により処理された被処理物７には多くの水分を含んでいるため脱水機４が水分の脱水を行うべく設置されている。
【００２３】  脱水された被処理物７は乾燥機５により乾燥される。
【００２４】  前記の工程を終了した被処理物７には磁性浄化材料が残存している可能性があるためこの除去と回収のために除染回収装置６が設置されている。この除染回収装置６としては図１及び図２に示すように空気輸送機６ａとスクリーン６ｂと電磁分離機６ｃとドラム磁選機６ｄ等とから構成されている。
【００２５】  図３は別のタイプの磁選回収装置の構造を示すもので、図３及び図４に示すように空気輸送機６Ａとスクリーン６Ｂと搬送コンベア６Ｃと吊下磁選機６Ｄとドラム磁選機６Ｅ等とから構成されている。
【００２６】  次に、以上の構造の浄化回収装置１００における被処理物の除染方法について図１を元にして説明する。
【００２７】  まず、放射能汚染土壌の如き有害物質や汚染物質や粗異物（例えば、砂利，藁，木屑等）の除去対象物８を含有する被処理物７がポンプ１１を介して撹拌機１に導入される。また、撹拌機１には磁性浄化材料（例えば、ゼオライト粒子と磁性粒子と接着剤とからなる）９が導入される。ここで被処理物７は磁性浄化材料９と混合し撹拌される。
【００２８】  撹拌機１により処理された被処理物７はポンプ１２を介して除去装置２のデサント２ａに導入されここで粗異物１０が分離除去され粗異物１０は回収タンク２ｃに送られ、粗異物１０を除去された被処理物７はタンク２ｂに送られる。
ここで回収タンク１ｃ内の粗異物１０は放射能測定により問題がなければ元の位置に戻され、放射能値が高い場合は再浄化される。
【００２９】  タンク２ｂの被処理物７はポンプ１３により磁選機３の磁選機本体３ａに導入され、ここで磁性浄化材料９が磁着されて回収され、磁性浄化材料９が除去された被処理物７はタンク３ｂに送られポンプ１４を介して脱水機４に送られて脱水され、乾燥機５により乾燥される。
【００３０】  以上のラインにより被処理物７の浄化が行われ、除去対象物８は除去されて回収されると共に使用された磁性浄化材料９も回収されることになり、放射能等を含む被処理物（土壌等）７の浄化が安定的に行われることになる。
【００３１】  本発明の浄化回収装置１００は前記の内容のものからなるがこの内容に限定されるものではなく、同一技術的範疇のものが適用されることは勿論である。
【産業上の利用可能性】
【００３２】  本発明の浄化回収装置１００は有害物質等を含む全ての除去対象物８の浄化回収処理に適用され、その利用範囲は極めて広い。
【符号の説明】
【００３３】  １      撹拌機
１ａ    撹拌機本体
１ｂ    タンク
２      除去装置
２ａ    デサント
２ｂ    タンク
２ｃ    回収タンク
３      磁選機
３ａ    磁選機本体
３ｂ    タンク
４      脱水機
５      乾燥機
６      磁選回収装置
６ａ    空気輸送機
６ｂ    スクリーン
６ｃ    電磁分離機
６ｄ    ドラム磁選機
６Ａ    空気輸送機
６Ｂ    スクリーン
６Ｃ    搬送コンベア
６Ｄ    吊下磁選機
６Ｅ    ドラム磁選機
７      被処理物
８      除去対象物
９      磁性浄化材料
１０    粗異物
１１    ポンプ
１２    ポンプ
１３    ポンプ
１４    ポンプ
１５    ポンプ
１００  浄化回収装置
【図１】
2014217834.tif 000003
【図２】
2014217834.tif 000004
【図３】
2014217834.tif 000005
【図４】
2014217834.tif 000006